(57)【特許請求の範囲】
【請求項１】
表面層と、該表面層の一部と接着した底面層と、前記表面層と前記底面層との間に配置した吸湿材とを有し、靴の中底に装着する中敷において、
前記吸湿材は、網目状態で区画したメッシュ窓を有し、該メッシュ窓に粉状の吸水性ポリマをまんべんなく分散させた平面状のメッシュ体であり、
前記メッシュ体を圧縮した状態で、前記表面層の周辺部及び湾曲部と、前記底面層とを接着し、前記表面層の前記底面層と接着した部分以外の部分と前記底面層との間の凸状部に、前記メッシュ体を配置したことを特徴とする靴用中敷。
【請求項２】
前記凸状部の高さと、前記メッシュ体の高さが略一致することを特徴とする請求項１に記載の靴用中敷。
【請求項３】
前記底面層に接着した前記表面層の一部は、全周縁部と、爪先部に対して爪先形状に沿う又は踵部に対して踵形状に沿う複数の湾曲部とを含むことを特徴とする請求項１又は２に記載の靴用中敷。
【請求項４】
前記底面層に貼り付いた前記表面層の一部は、幅方向と平行する複数の直線部を含み、該直線部は前記爪先部以外又は踵部以外の全長に渡って、一定間隔で配置したことを特徴とする請求項３の何れか１項に記載の靴用中敷。
【請求項５】
右足用及び左足用の前記底面層の裏面に対して、再接着可能な粘着剤を塗布して、前記右足用及び左足用の底面層の裏面同士を向かい合わせて仮に貼り合わせたことを特徴とする請求項３又は４の何れか１項に記載の靴用中敷。
【発明の詳細な説明】
【技術分野】
【０００１】
本発明は、靴内に装着して使用する靴用中敷に関するものである。
【背景技術】
【０００２】
靴に対して中敷を装着して、使用者の履き心地や保温性を改善することは広く行われている。また特許文献１には、シリカゲルのような二酸化ケイ素を主成分とし、粉状や比較的小さな粒状に粉砕した吸湿材や、粉粒状の活性炭を靴の中底の上面に配置することで、吸湿効果の向上を図ることが開示されている。
【０００３】
また、単独で販売されている中敷は、複数のサイズ、例えば大人男性用では大中小の３種類程度が用意されており、使用者は自分の靴サイズに対応したものを使用している。
【先行技術文献】
【特許文献】
【０００４】
【特許文献１】特開２０１２−１５２４９４号公報
【発明の概要】
【発明が解決しようとする課題】
【０００５】
しかし、特許文献１の中敷のように、粉状の二酸化ケイ素や活性炭を利用したとしても、靴内の湿気を十分に吸収することができないという問題がある。特に梅雨期などでは、湿気を吸収し切れずに、靴内が蒸れて水虫や匂いの原因となることがある。
【０００６】
更に、吸湿材が粉状や粒状であると、長時間の使用中に中敷内の一方に片寄って集まってしまうという問題もある。このように片寄った場合には、吸湿効果が靴全体でなく部分的になったり弱まることになる。
【０００７】
また、中敷のサイズについても、自分の靴のサイズの中敷が入手不能の場合には、適切な中敷を使用することができず、中敷が自分の靴のサイズに対して大き過ぎたり、小さ過ぎたりすることもあり、このことで中敷の靴に対してずれが生じ履き心地が悪くなる。
【０００８】
そこで、本発明の目的は、吸湿効果が靴全体に及ぶと共に靴に対するサイズを適宜に調整可能とする靴用中敷を提供することにある。
【課題を解決するための手段】
【０００９】
上記目的を達成するための本発明に係る靴用中敷は、表面層と、該表面層の一部と接着した底面層と、前記表面層と前記底面層との間に配置した吸湿材とを有し、靴の中底に装着する中敷において、  前記吸湿材は、網目状態で区画したメッシュ窓を有し、該メッシュ窓に粉状の吸水性ポリマをまんべんなく分散させた平面状のメッシュ体であり、前記メッシュ体を圧縮した状態で、前記表面層の周辺部及び湾曲部と、前記底面層とを接着し、前記表面層の前記底面層と接着した部分以外の部分と前記底面層との間の凸状部に、前記メッシュ体を配置したことを特徴とすることを特徴とする。
【発明の効果】
【００１０】
本発明に係る靴用中敷によれば、表面部と底部の間に吸水性ポリマを配置すると同時に、吸水性ポリマを凸状部、メッシュ体、スポンジ体で保持することで、吸水性ポリマが中敷内の一方に片寄って集まることを防止することができる。また、爪先部を湾曲部に沿って切断することで、適宜の靴のサイズに調整することが可能である。
【図面の簡単な説明】
【００１１】
【図１】実施例１の靴用中敷の平面図である。
【図２】斜視図である。
【図３】長手方向に沿った拡大断面図である。
【図４】使用状態の説明図である。
【図５】実施例２の靴用中敷の斜視図である。
【図６】分解斜視図である。
【発明を実施するための形態】
【００１２】
本発明を図示の実施例に基づいて詳細に説明する。
【実施例１】
【００１３】
図１は実施例１の靴用中敷１の平面図、図２は斜視図、図３は長手方向に沿った拡大断面図である。中敷１は人間の左右の足裏の略輪郭形状の平面体とされており、大きさは平均的な靴のサイズよりも大きく、例えば男性用であれば２８ｃｍに対応した長さを有している。また、図１、図２に示す中敷１は右足用の中敷であるが、対称となる左足用の中敷と右足用の中敷とを一組として販売されることになる。
【００１４】
この中敷１は、足裏に当接する表面層２と、この表面層２の裏側に部分的に熱融着や接着剤等により貼り付けた底面層３とを有しており、表面層２の底面層３と接着した部分以外の部分と、底面層３との間で盛り上った複数個の凸状部４が設けられている。そして、これらの凸状部４には後述する吸湿材５が充填されている。
【００１５】
表面層２は起毛布帛、不織布、低反発弾性を有する合成樹脂等から成り、何れも通気性を備えると共に粉状物質を通過しない素材から成っている。底面層３も表面層２と同様に、起毛布帛、不織布、低反発弾性を有する合成樹脂等から成り、粉状物質を通過しない素材から成っている。底面層３の裏面には靴の中底に対して滑動しないように、粘着剤を塗布したり、凹凸を設けるなどの滑り止め加工を施すことが好ましい。
【００１６】
底面層３に対し熱融着や接着剤等により直接貼り付ける表面層２の部分は、図１、図２に示すように全周を囲む周辺部６と、爪先部７に対して爪先形状に沿う複数の湾曲部８と、爪先部７以外の全長に渡って、一定間隔で幅方向と平行に配置された複数の直線部９とから構成されている。
【００１７】
表面層２の底面層３と接着した部分以外の部分である、周辺部６、湾曲部８、直線部９により囲まれた部分は、上方に盛り上がった凸状部４であり、吸湿材５が充填されている。
【００１８】
吸湿材５は吸水性ポリマを均一に分散させたパルプ繊維綿等の繊維質材である。吸水性ポリマは架橋構造を持つ親水性のポリマであり、自重の５０倍以上の吸水力があり、圧力をかけても離水することはない。そして、繊維質材内に均等に分散した吸水性ポリマによって、足から発生する水分等を吸収する。
【００１９】
中敷１を製造する際は、先ず凸状部４に対応する凹状部を形成した表面層２の裏面に対して、上方から吸湿材５を充填する。その後に、平面状の底面層３で上方を覆い、周辺部６、湾曲部８、直線部９に対応する個所を熱融着や接着剤によって表面層２及び底面層３を貼り付けて完成する。完成後は、吸水性ポリマが空気中の水分を吸収しないように、密閉袋に封入して保管する。
【００２０】
また、右足用及び左足用の靴用中敷１の底面層３の裏面に対して、再接着可能な粘着剤を塗布して、底面層３の裏面同士を向かい合わせて仮に貼り合わせた状態で保管するようにしてもよい。裏面同士を向かい合わせて貼り合わせることで、１枚の靴用中敷１を一足分として保管することが可能である。
【００２１】
使用者が使用する場合には、中敷１を密閉袋から取り出し、靴のサイズに応じて、ハサミ等により任意の湾曲部８を案内部として湾曲部８に沿って爪先部７の一部を切断する。湾曲部８は幅広とされているので、ハサミで切断しても隣接する凸状部４を切断し、吸湿材５がこぼれ出ることはない。
【００２２】
使用者の足のサイズが大きい、例えば男性用の２８ｃｍであれば爪先部７の切断は不要であるが、足のサイズが小さい、例えば２６ｃｍの場合には、適当な個所の湾曲部８から爪先部７の一部を切断してサイズを調整すればよい。
【００２３】
また、図１、図２においては、爪先側に湾曲部８を設けているが、踵側の踵部に対して、踵形状に沿うように複数の湾曲部８を設けるようにしてもよい。踵側に湾曲部８を設けた中敷１は、適当な個所の湾曲部８から踵部の一部を切断してサイズの調整を行うことになる。
【００２４】
図４に示すように、使用者は靴Ｓの中底Ｓ１に中敷１を取り付け、靴Ｓを履くことになる。靴Ｓは表面側に中底Ｓ１を有する靴底Ｓ２と、この靴底Ｓ２の周縁部分を取り囲むように連結した甲革Ｓ３とから成る。中底Ｓ１は使用者の足裏を中敷１を介して乗せる部分である。
【００２５】
甲革Ｓ３は使用者の足を上方から覆う部分であり、その爪先部は足の甲の形状に沿う形状をなす袋状に形成され、後方は踵を覆う筒状体とされており、この筒状体が足を挿入するための履き口Ｓ４を形成している。
【００２６】
中敷１を取り付けた靴Ｓを履き続けると、足から発汗により靴Ｓ内が蒸れることがある。特に夏場や梅雨の時期は、靴Ｓ内が蒸れ易く、湿気は靴Ｓの内部に留まることになる。
【００２７】
しかし、靴Ｓの内部の水分は、通気性を有する表面層２及び底面層３を介して吸湿材５に達し、繊維質材内の吸水性ポリマによって吸収されることになる。一度、吸水性ポリマによって吸水されると水分が吸水性ポリマから抜け出すことがないため、靴Ｓ内は湿気のない状態を常に保つことができる。
【００２８】
水分を吸水した吸水性ポリマはゲル状になり、時間経過と共に凸状部４が全体的にゼリーのようなゲル状の感触に変化すれば、靴Ｓから中敷１を取り外して廃棄する。再度、中敷１を使用する場合は、新品の中敷１を中底Ｓ１に挿着することになる。
【００２９】
また、吸水性ポリマを分散させた繊維質材から成る吸湿材５を充填した凸状部４を用いることで、中敷１からクッション性が得られ履き心地が良くなる。更に、凸状部４が所定間隔に配置されているため、足裏が凸状部４に引っ掛かり易く、中敷１上で足が滑り難い構造ともなる。
【００３０】
また、複数の凸状部４により表面層２を区分けすることで、吸湿材５が一方側に片寄ることを防止でき、特に長手方向への片寄りを防止するとができるため、爪先に吸湿材５が集まることもない。
【実施例２】
【００３１】
図５は実施例２の靴用中敷１’の斜視図、図６は分解斜視図である。なお、実施例１と同一の部位は同一の符号を付している。
【００３２】
中敷１’の表面層２と底面層３と間に配置する吸湿材５として、実施例１の吸水性ポリマを均一に分散させた繊維質材に代えて、粉状の吸水性ポリマを網目状態で区画したメッシュ窓内にまんべんなく分散したメッシュ体１０を採用している。
【００３３】
このメッシュ体１０は、平面状でかつメッシュ窓の各辺が数ｍｍ程度のものであり、合成樹脂等から成形されている。また、メッシュ体１０以外に平面状のスポンジ等の発泡樹脂体を採用し、この発泡樹脂体内の空隙に吸水性ポリマをまんべんなく配置するようにしてもよい。
【００３４】
中敷１’はメッシュ体１０を圧縮した状態で、表面層２の周辺部６及び湾曲部８と、底面層３とを熱融着や接着剤等により貼り付けられている。そして、中敷１’の中央には、吸湿材５であるメッシュ体１０を内蔵した１つの凸状部４が形成されることになる。
【００３５】
この凸状部４の高さとメッシュ体１０の高さは略一致しているので、区画されたメッシュ窓内に配置された吸水性ポリマは他のメッシュ窓に移動することがない。このため、吸水性ポリマが凸状部４内の一個所に集中してしまうことを防止することができる。
【００３６】
密閉袋から取り出した中敷１’を使用者が使用する場合には、実施例１の中敷１と同様に、爪先部７の湾曲部８を切断することによりサイズ調整を行う。
【００３７】
サイズ調整後に中敷１’を靴Ｓの中底Ｓ１に取り付け、使用することで使用者の足から発せられる水分を吸湿材５中の吸水性ポリマが吸水する。そして、各メッシュ窓内で膨張して十分に水分を吸水すると、中敷１’を取り外して廃棄する。
【００３８】
なお、実施例２の中敷１’には実施例１の中敷１のような直線部９を設けていないが、直線部９を設けるようにしてもよい。これらの直線部９を設けることで、確実にメッシュ体１０内の吸水性ポリマが爪先方向へ移動することを防止することができると共に、直線部９による凹凸により中敷１’上で足が滑り難い構造となる。
【符号の説明】
【００３９】
１  中敷
２  表面層
３  底面層
４  凸状部
５  吸湿材
６  周辺部
７  爪先部
８  湾曲部
９  直線部
１０  メッシュ体
Ｓ  靴
【図１】
0006663226.tif 000002
【図２】
0006663226.tif 000003
【図３】
0006663226.tif 000004
【図４】
0006663226.tif 000005
【図５】
0006663226.tif 000006
【図６】
0006663226.tif 000007